(57)【要約】【課題】吸収体の全域を均一に押圧して塗布ヘッドの開孔を確実に閉塞させるとともに、残存圧に起因した内容物の必要以上の排出を回避する。【解決手段】内容物を繰り出し可能に収納、保持する容器本体１と、容器本体１の口部に装着され繰り出に係わる内容物を外表面に排出する複数の開孔を有する塗布ヘッド２と、この塗布ヘッド２の表面に配置される吸収体３と、この吸収体３に合わさるインナーゴム層５を有し該吸収体３とともに塗布ヘッド２を覆い隠して容器本体１を密閉状態に維持するオーバーキャップ４を備える繰り出し容器において、前記インナーゴム層５に、容器本体１の密閉状態にて吸収体３を塗布ヘッド２に全域において均一に押し付ける複数の突起５ａを設ける。【選択図】　　　　図４
2004090970.tif 000002
【特許請求の範囲】
【請求項１】
内容物を繰り出し可能に収納、保持する繰り出し手段を備えた容器本体と、容器本体の口部に装着され繰り出しに係わる内容物を外表面に排出する複数の開孔を有する塗布ヘッドと、この塗布ヘッドの表面に配置される吸収体と、この吸収体に合わさるインナーゴム層を有し該吸収体とともに塗布ヘッドを覆い隠して容器本体を密閉状態に維持するオーバーキャップを備える繰り出し容器であって、
前記インナーゴム層に、容器本体の密閉状態にて吸収体を塗布ヘッドの全域において均一に押し付ける複数の突起を設けたことを特徴とする繰り出し容器。
【請求項２】
インナーゴム層は、その表裏において連通し、該インナーゴム層とオーバーキャップの相互間に形成される排気通路につながる貫通孔を備える、請求項１記載の繰り出し容器。
【請求項３】
開孔は、容器本体の内側に向けて広がるテーパ面を有する、請求項１又は２記載の繰り出し容器。
【請求項４】
繰り出し手段が、内容物を保持し容器本体の内壁に沿って摺動可能な中皿と、この中皿と一体になるスクリューロッドと、スクリューロッドを移動可能に支えるガイドを有し容器本体の底部に組み込まれるベースと、スクリューロッドに係合する係合部を有し該ベース及び容器本体底壁の相互間でガイドの周りに回転可能に支持されかつ、その回転中にスクリューロッドとともにその軸心に沿って振動して内容物のバックサクションを誘導する回転体からなり、
容器本体底壁に、その底壁を舌片状に切り起こして回転体を弾性支持する弾性支持部材を設けた、請求項１〜４の何れかに記載の繰り出し容器。
【発明の詳細な説明】
【０００１】
【発明の属する技術分野】
本発明は、容器本体内に収納した内容物をその底部から押し上げて塗布ヘッドの表面上に排出して該内容物の塗布を可能とする繰り出し容器に関するものであって、収納状態にある内容物が塗布ヘッド表面に不用意に排出するのを確実に防止しするとともに、内容物を繰り出したときに生じる残存圧に起因した必要以上の排出を効果的に抑制しようとするものである。
【０００２】
【従来の技術】
内容物を適量排出してそのまま塗布することができる繰り出し容器は、容器本体内に収納、保持した内容物をその底部に組み込まれた繰り出し手段により押し上げて塗布ヘッドの開孔部分から排出することができるものであり、塗布ヘッドの表面は塗布対象物の違いにかかわりなく確実な塗布を実現するため外側に向かって凸となる円弧面を有しているが一般的である。
【０００３】
かかる繰り出し容器は、保管に際して塗布ヘッドの開孔部分から埃等の異物が侵入しないように該塗布ヘッドを覆い隠すオーバーキャップが装着されるが、その出荷に際しては内容物が不用意に排出することがないようオーバーキャップと塗布ヘッドの相互間にポーラスタイプの吸収体が配置される。該吸収体は、フラットになっておりオーバーキャップの内面で吸収体を塗布ヘッドに押し当てることによって初めて開孔部分を閉塞することができるものであることから、オーバーキャップの装着状態によっては吸収体を塗布ヘッドの表面に均一に配置することができない場合も生じている。
【０００４】
また、この種の容器に組み込まれる繰り出し手段は、内容物を保持する中皿と、この中皿に一体的に連結するスクリューロッドとこのスクリューロッドに係合してその回動にて中皿をスクリューロッドとともに塗布ヘッドに向けてスライドさせる回転部材にて構成され、回転部材の回転度合いによって排出量の調整が行なえるようになっているが、従来の繰り出し手段は、中皿をスライドさせて内容物を排出した場合、その際の押圧力が容器内の内容物にそのまま残存するため回転部材の回転を停止させた状態にあるにもかかわらず、内容物が塗布ヘッドの開孔から排出される不具合があり内容物の効率的な排出ができないところに問題を残している。
【０００５】
【発明が解決しようとする課題】
本発明の課題は、オーバーキャップと塗布ヘッドの相互間に配置される吸収体を該塗布ヘッドの全域において均一に押し当てるとともに、残存圧に起因した内容物の必要以上の排出を防止できる新規な構造について提案するところにある。
【０００６】
【課題を解決するための手段】
本発明は、内容物を繰り出し可能に収納、保持する容器本体と、容器本体の口部に装着され繰り出された内容物を外表面に排出する複数の開孔を有する塗布ヘッドと、この塗布ヘッドの表面に配置される吸収体と、この吸収体に合わさるインナーゴム層を有し該吸収体とともに塗布ヘッドを覆い隠して容器本体を密閉状態に維持するオーバーキャップを備える繰り出し容器であって、
前記インナーゴム層に、容器本体の密閉状態にて吸収体を塗布ヘッドに全域において均一に押し付ける複数の突起を設けたことを特徴とする繰り出し容器である。
【０００７】
上記の構成になる繰り出し容器においてインナーゴム層は、その表裏において連通し、該インナーゴム層とオーバーキャップの相互間に形成される排気通路につながる貫通孔を備えるものが有利に適合する。
【０００８】
開孔は、容器本体の内側に向けて広がるテーパ面を有するのが好ましい。
【０００９】
上記の繰り出し容器において、繰り出し手段は、内容物を保持し容器本体の内壁に沿って摺動可能な中皿と、この中皿と一体になるスクリューロッドと、スクリューロッドを移動可能に支えるガイドを有し容器本体の底部に組み込まれるベースと、スクリューロッドに係合する係合部を有し該ベース及び容器本体底壁の相互間でガイドの周りに回転可能に弾性支持されかつ、その回転中にスクリューロッドとともにその軸心に沿って振動して内容物のバックサクションを誘導する回転体にて構成することができ、容器本体底壁には、回転体を弾性支持するために、該底壁を舌片状に切り起こした弾性支持部材（板ばね）を設けるのが望ましい。
【００１０】
【発明の実施の形態】
以下、図面を用いて本発明をより具体的に説明する。
図１は本発明に従う繰り出し容器の外観斜視図である。図において１は塗布すべき内容物を繰り出し可能に収納、保持する容器本体であり、この容器本体１は内容器１ａを備えたものを例として示してある（図３参照）。また、２は容器本体１の口部に装着される塗布ヘッドである。この塗布ヘッド２は容器本体１内から繰り出された内容物をその外表面に排出する複数の開孔２ａを有しており、その要部断面を図２に示すように、該開孔２ａは容器本体１の内側に向けて広がるテーパ面Ｐが形成され、内容物をスムーズに排出することができるようになっている。
【００１１】
また、３は塗布ヘッド２の表面に配置されるポーラスタイプの吸収体、４は塗布ヘッド２を覆い隠して容器本体１を密閉状態に維持するオーバーキャップ、５はオーバーキャップ４の内側に配置される例で示したインナーゴム層である。
【００１２】
インナーゴム層５には、容器本体の密閉状態にて吸収体３を塗布ヘッド２の全域において均一に押し付けるための複数の突起５ａ（図４参照）と、その表裏において連通しインナーゴム層５とオーバーキャップ４の相互間に形成される排気通路ｆにつながる貫通孔５ｂが設けられている。
【００１３】
また、６は容器本体１に設けられた繰り出し手段であり、この繰り出し手段６は図３に容器の断面を示すごとく、内容物を保持し内容器１ａの内壁に沿って手動可能な中皿６ａと、この中皿６ａに連結保持されるスクリューロッド６ｂと、スクリューロッド６ｂを移動可能に支えるガイドｇを有し容器本体１の底部に組み込まれるベース６ｃと、スクリューロッド６ｂに係合する係合部ｔを有しベース６ｃ上でガイドｇの周りに回転可能に弾性支持されかつ、その回転中にスクリューロッド６ｂとともにその軸心に沿って一定の周期でもって振動（上下動）して内容物のバックサクションを誘導する回転体６ｄからなっている。
【００１４】
７は鋸刃状の凸部ｒを有しベース６ｃ上に一体的に形成された環状体、８は内容器１ａの底壁を舌片状に切り起こして回転体６ｄを弾性支持する弾性支持部材（板ばね）、９は回転体６ｄの裏側面に設けられ、環状体７の凸部ｒに適合する鋸刃状の凹部である。
【００１５】
図４にインナーゴム層５をオーバーキャップ４から取り外した状態における外観斜視図を、図５に容器の分解斜視図を、さらに図６に回転体の裏側面をそれぞれ示す。
【００１６】
吸収体３は、商品として出荷する段階で内容物が開孔２ａを通して塗布ヘッド３の表面に排出されないように該開孔２ａを閉塞させるために配置されるものであって、これはフラットで薄いシート状のものであることから、外側に向かって凸となる円弧面を有する塗布ヘッド２の表面全域において均一な力でもって押し付けておくには困難があるが、本発明においてはインナーゴム層５に突起５ａが設けてあるため、オーバーキャップ４を装着した際、該突起５ａが吸収体３に突き当たることとなり塗布ヘッド２の全域に適度な力でもって押し付けられる。
【００１７】
オーバーキャップ４を装着する際に該キャップの内部空間に存在する空気は、貫通孔５ａから排気通路６を経てその合わせ部分から大気中へと効果的に排出されるのでその装着は極めてスムーズであり、また、インナーゴム層５は軟質なので取り付け、取り外しが非常にソフトな感じで行なえる。
【００１８】
ベース６ｃの環状体７に設けられた鋸刃状の凸部ｒと回転体６ｄの裏側面に設けられた凹部９は、弾性支持下にある回転体６ｄを一方向にのみ回転させるラチェットを構成するものであり、これにより内容物の定量排出を可能とする。
【００１９】
図３に示したところにおいて内容物を排出すべく、回転体６ｄを回転させるとこの回転体６ｄに係合するスクリューロッド６ｂがガイドｇに沿って中皿６ａとともに塗布ヘッド２に向かって直線的に移動していき、中皿６ａに保持された内容物が押し上げられ塗布ヘッド２の開孔２ａから排出される。
【００２０】
このとき、回転体６ｄの凹部９は環状リング７の凸部ｒを次々と乗り越えながら移動するため、該回転体６ｄ、スクリューロッド６ｂ、中皿６ａ、内容物はスクリューロッド６ｂの軸心Ｌ（図３参照）に沿う向きに振動（上下動）する。
【００２１】
内容物の排出を停止すべく回転体６ｄの回転を止めると回転体６ｄが容器の底部に向かって移動する分だけ中皿６ａが内容物とともに容器本体１の内部に引き込まれる、いわゆるバックサクションが誘導されることとなり、内容物に負荷される押圧力はすぐさま解除され残存圧によって内容物が必要以上に排出されることはない。
【００２２】
回転体６ｄは一方向にのみ回転して定量排出を可能とするラチェット式として図示したが、環状体７に設けた凸部ｒおよび回転体６ｄの凹部９につき、なだらかな傾斜を有するものとして逆回転できるようにしてもよく、これにより必要に応じて内容物を容器内に向けて引き込むこともできる。
【００２３】
【発明の効果】
本発明によれば、塗布ヘッドの表面において吸収体をその全域で均一な力でもって押し付けることができるので、該塗布ヘッドの開孔を確実に閉塞させることが可能となり商品の流通段階あるいは出荷段階で内容物が塗布ヘッドの表面に排出されることはない。
【００２４】
また、本発明によれば、内容物を排出する際に容器内に残存圧が生じないので、必要以上に内容物が排出されることはなく、内容物を効率よく使用することができる。
【図面の簡単な説明】
【図１】本発明に従う繰り出し容器の外観斜視図である。
【図２】図１の要部の断面を示した図である。
【図３】（ａ）（ｂ）は図１に示した容器の断面を示した図である。
【図４】インナーゴム層の外観斜視図である。
【図５】図１に示した容器の分解斜視図である。
【図６】回転体の外観斜視図である。
【符号の説明】
１　容器本体
１ａ　内容器
２　塗布ヘッド
２ａ　開孔
３　吸収体
４　オーバーキャップ
５　インナーゴム層
５ａ　突起
６　繰り出し手段
６ａ　中皿
６ｂ　スクリューロッド
６ｃ　ベース
６ｄ　回転体
７　環状体
８　弾性支持部材
９　凹部
Ｐ　テーパ面
ｇ　ガイド
ｔ　係合部
ｒ　凸部
【図１】
2004090970.tif 000003
【図２】
2004090970.tif 000004
【図３】
2004090970.tif 000005
【図４】
2004090970.tif 000006
【図５】
2004090970.tif 000007
【図６】
2004090970.tif 000008